(57)【要約】【課題】一定周期で繰り返す光源の点滅動作を点滅表示によって表示する表示装置において、点滅表示の点滅周期のバラツキを抑える。【解決手段】表示装置１は、一定周期で繰り返す光源１０ａ、１０ｂの点滅動作を、明表示と暗表示とを交互に繰り返す点滅表示によって表示可能な表示手段５と、明表示の明表示時間ｔ１を記憶するとともに、明表示時間を書き換え可能に構成されている記憶手段７１と、記憶手段７１から入力した明表示時間ｔ１の明表示を行うように、点滅表示を制御する制御手段７とを備える。これにより、一定周期で繰り返す光源の点滅動作を点滅表示によって表示する表示装置において、点滅表示の点滅周期のバラツキを抑えることができる。【選択図】図３
2008292949.tif 000002
【特許請求の範囲】
【請求項１】
一定周期で繰り返す第1光源の点滅動作を、明表示と暗表示とを交互に繰り返す点滅表示によって表示可能な表示手段と、
前記明表示の明表示時間を記憶するとともに、該明表示時間を書き換え可能に構成されている記憶手段と、
前記記憶手段から入力した前記明表示時間の前記明表示を行うように、前記点滅表示を制御する制御手段とを備えることを特徴とする表示装置。
【請求項２】
前記記憶手段は、前記暗表示の暗表示時間を記憶するとともに、該暗表示時間を書き換え可能に構成され、
前記制御手段は、前記記憶手段記憶から入力した前記暗表示時間の前記暗表示を前記明表示と交互に行うように、前記点滅表示を制御することを特徴とする請求項１に記載の表示装置。
【請求項３】
前記記憶手段は、前記点滅表示の開始時における前記明表示時間を第１明表示時間として記憶するとともに、該第１明表示時間を書き換え可能に構成され、
前記制御手段は、前記記憶手段記憶から入力した前記第１明表示時間の前記明表示を前記点滅表示の前記開始時に行うように、前記点滅表示を制御することを特徴とする請求項２に記載の表示装置。
【請求項４】
前記表示手段は、透光性を有する点滅表示部と、該点滅表示部を透過照明する第２光源とを備え、
前記表示手段は、前記第２光源を点燈することによって前記明表示を行い、該第２光源を消燈することによって前記暗表示を行うことを特徴とする請求項１ないし請求項３のいずれか一項に記載の表示装置。
【請求項５】
前記制御手段は、前記点滅動作と連動した点滅信号を入力し、該点滅信号に基いて前記点滅表示を制御することを特徴とする請求項１ないし請求項４のいずれか一項に記載の表示装置。
【請求項６】
前記記憶手段は、前記点滅表示の終了時を設定するための設定時間を記憶するとともに、該設定時間を書き換え可能に構成され、
前記制御手段は、前記点滅動作と連動した点滅信号を入力して該点滅信号に基いて前記点滅表示を制御し、且つ、前記記憶手段記憶から入力した前記設定時間の間で該点滅信号が入力されない際に該点滅表示を停止することを特徴とする請求項２または請求項３に記載の表示装置。
【請求項７】
車両に搭載される表示装置であって、
前記第1光源は、前記車両のターンランプであり、
前記制御手段は、車内ＬＡＮを介して多重通信によって前記点滅信号を入力することを特徴とする請求項５または請求項６に記載の表示装置。
【発明の詳細な説明】
【技術分野】
【０００１】
本発明は、光源の点滅動作を点滅表示によって表示する表示装置に関するものである。
【背景技術】
【０００２】
光源の点滅動作を点滅表示によって表示する車両用の表示装置として、ターンランプの点滅動作に同期して点滅表示させるターン表示部を備えた表示装置がある。
【０００３】
例えば、ターンシグナルスイッチを左折方向へ操作すると、ターン点滅制御装置は、左折時に動作する左ターンランプを点滅動作させ、この点滅動作を表す点滅信号を表示装置へ出力する。表示装置は、この点滅信号を受けて左側のターン表示部を点滅表示させる。これにより、左側のターン表示部は、左ターンランプの点滅動作に同期して点滅表示して、左ターンランプの点滅動作を表示する。
【発明の開示】
【発明が解決しようとする課題】
【０００４】
しかし、近年車両のワイヤハーネスの低減等のため、車両情報を車内ＬＡＮを介して多重通信によって送信する場合が多くなり、上述の点滅信号も、ターン点滅制御装置から表示装置に車内ＬＡＮを介して多重通信によって送信される場合が多くなっている。多重通信では、決められた規格の周期と順序で複数の情報が一つの伝送路によって送信されるため、その送信周期分の送信遅延が発生する。
【０００５】
この送信遅延は、数ミリ秒（ｍｓ）〜数10ｍｓであるが、光源による一定周期の点滅動作を点滅表示によって表示する表示装置では、この送信遅延が、点滅表示の点滅周期のバラツキとして無視できないものになる。この点滅表示の点滅周期のバラツキによって、この表示装置の視認者に違和感を与えることになる。
【０００６】
この問題は、点滅信号が多重通信によって送信される場合に限らず、例えば、マトリックス状に複数の画素が形成されている液晶パネルによって点滅表示を行う場合にも共通する問題である。この液晶パネルでは、１秒間に６０フレームの画像を切り替えて点滅表示するため、この画像切替タイミング分の表示遅延等が、点滅表示の点滅周期のバラツキとして無視できないものになるからである。
【０００７】
本発明は、このような事情を考慮してなされたものであり、一定周期で繰り返す光源の点滅動作を点滅表示によって表示する表示装置において、点滅表示の点滅周期のバラツキを抑えることを目的とする。
【課題を解決するための手段】
【０００８】
本発明は上記目的を達成するため、以下の技術的手段を採用する。
【０００９】
請求項１に記載の表示装置は、一定周期で繰り返す第1光源の点滅動作を、明表示と暗表示とを交互に繰り返す点滅表示によって表示可能な表示手段と、明表示の明表示時間を記憶するとともに、明表示時間を書き換え可能に構成されている記憶手段と、記憶手段から入力した明表示時間の明表示を行うように、点滅表示を制御する制御手段とを備えることを特徴とする。
【００１０】
この構成では、記憶手段に記憶されている明表示時間の明表示を行うように、点滅表示を制御し、且つ、記憶手段が、明表示時間を書き換え可能に構成されている。これにより、明表示時間が調整可能であるため、点滅表示において明表示時間のバラツキを抑えることができる。このため、点滅表示の点滅周期のバラツキを抑えることができる。
【００１１】
請求項２に記載の表示装置は、記憶手段が、暗表示の暗表示時間を記憶するとともに、暗表示時間を書き換え可能に構成され、制御手段が、記憶手段記憶から入力した暗表示時間の暗表示を明表示と交互に行うように、点滅表示を制御することを特徴とする。
【００１２】
この構成では、記憶手段に記憶されている暗表示時間の暗表示を明表示と交互に行うように、点滅表示を制御し、且つ、記憶手段が、暗表示時間を書き換え可能に構成されている。これにより、暗表示時間が調整可能であるため、点滅表示において明表示時間と暗時間の両方のバラツキを抑えることができる。このため、点滅表示の点滅周期のバラツキをより抑えることができる。
【００１３】
請求項３に記載の表示装置は、記憶手段が、点滅表示の開始時における明表示時間を第１明表示時間として記憶するとともに、第１明表示時間を書き換え可能に構成され、制御手段が、記憶手段記憶から入力した第１明表示時間の明表示を点滅表示の開始時に行うように、点滅表示を制御することを特徴とする。
【００１４】
この構成では、記憶手段に記憶されている第１明表示時間の明表示を点滅表示の開始時に行うように、点滅表示を制御し、且つ、記憶手段が、第１明表示時間を書き換え可能に構成されている。これにより、第１明表示時間を調整することによって、点滅表示のタイミングを点滅動作のタイミングに合わせることが可能になる。このため、上述の効果に加えて、点滅動作と点滅表示のずれを抑えることができる。
【００１５】
請求項４に記載の表示装置は、表示手段が、透光性を有する点滅表示部と、点滅表示部を透過照明する第２光源とを備え、表示手段が、第２光源を点燈することによって明表示を行い、第２光源を消燈することによって暗表示を行うことを特徴とする。これにより、簡易な構成の表示手段によって、上述の効果を得ることができる。
【００１６】
請求項５に記載の表示装置は、制御手段が、点滅動作と連動した点滅信号を入力し、点滅信号に基いて点滅表示を制御することを特徴とする。これにより、上述の効果に加えて、点滅動作と点滅表示のずれを抑えることができる。
【００１７】
請求項６に記載の表示装置は、記憶手段が、点滅表示の終了時を設定するための設定時間を記憶するとともに、設定時間を書き換え可能に構成され、制御手段が、点滅動作と連動した点滅信号を入力して点滅信号に基いて点滅表示を制御し、且つ、記憶手段記憶から入力した設定時間の間で点滅信号が入力されない際に該点滅表示を停止することを特徴とする。
【００１８】
この構成では、設定時間の間で点滅信号が入力されない際に点滅表示を停止させ、記憶手段が、設定時間を書き換え可能に構成されている。これにより、設定時間を調整することによって、点滅動作の終了前に点滅表示が終了することを防止できる。このため、上述の効果に加えて、点滅動作と点滅表示のずれを抑えることができる。
【００１９】
請求項７に記載の表示装置は、車両に搭載される表示装置であって、第1光源は、車両のターンランプであり、制御手段が、車内ＬＡＮを介して多重通信によって点滅信号を入力することを特徴とする。これにより、車内ＬＡＮを介して多重通信によって入力した点滅信号に基いて点滅表示を制御する表示装置において、上述の効果を得ることができる。
【発明を実施するための最良の形態】
【００２０】
以下、本発明による表示装置を、車両に搭載される表示装置であるコンビネーションメータとして図面に基づいて説明する。
【００２１】
図１に示す表示装置であるコンビネーションメータ１は、速度計３と、回転計４と、表示手段であるターン表示部５とを備え、これらは、表示板２上に設けられる。速度計３は、当該自動車の走行速度を表示する指針計器であり、回転計４は、当該自動車のエンジン回転数を表示する指針計器である。
【００２２】
ターン表示部５は、当該自動車の第１光源であるターンランプ１０ａ、１０ｂ（図３）が一定周期で繰り返す点滅動作を、明表示と暗表示とを交互に繰り返す点滅表示によって表示する。ターン表示部５は、左ターン表示部５ａと右ターン表示部５ｂとを備え、左ターン表示部５ａは、左側のターンランプ１０ａの点滅動作を点滅表示によって表示し、右ターン表示部５ｂは、右側のターンランプ１０ｂの点滅動作を点滅表示によって表示する。
【００２３】
図２において、左ターン表示部５ａは、透光性を有する点滅表示部５０ａと、点滅表示部５０ａを透過照明する第２光源である発光ダイオード５１ａとを備える。表示板２は、ポリカーボネイト樹脂等の透光性樹脂板２０に例えば黒色の遮光層２１を形成して構成され、点滅表示部５０ａは、遮光層２１の開口２２ａ内の透光性樹脂板２０として構成される。
【００２４】
発光ダイオード５１ａが発する光は、矢印Ｐ１の光路に従ってケース５２に導かれて点滅表示部５０ａを透過照明するように構成される。発光ダイオード５１ａを点燈することによって明表示を行い、発光ダイオード５１ａを消燈することによって暗表示を行い、点燈と消燈を交互に繰り返すことによって、明表示と暗表示を交互に繰り返す点滅表示を左ターン表示部５ａに行わせる。
【００２５】
また、右ターン表示部５ｂは、透光性を有する点滅表示部５０ｂと、点滅表示部５０ｂを透過照明する第２光源である発光ダイオード５１ｂとを備え、点滅表示部５０ｂは、遮光層２１の開口２２ｂ内の透光性樹脂板２０として構成される。発光ダイオード５１ｂが発する光は、矢印Ｐ２の光路に従ってケース５２に導かれて点滅表示部５０ｂを透過照明するように構成される。発光ダイオード５１ｂを点燈することによって明表示を行い、発光ダイオード５１ｂを消燈することによって暗表示を行い、点燈と消燈を交互に繰り返すことによって、明表示と暗表示を交互に繰り返す点滅表示を右ターン表示部５ｂに行わせる。発光ダイオード５１ａ、５１ｂは、プリント基板６に実装される。
【００２６】
図３に示す制御手段であるメータ制御装置７は、マイクロコンピュータ等から構成され、記憶手段であるメモリ７１を内蔵する。メモリ７１は、電気的に記憶データの書き換えが可能な不揮発性メモリもしくはバックアップＲＡＭ（ランダムアクセスメモリ）等を含むメモリである。
【００２７】
ターンランプ１０ａ、１０ｂの点滅動作を制御するターン点滅制御装置９と、当該自動車の車速を検出する速度センサ１１と、当該自動車のエンジン回転数を検出する回転センサ１２は、車内ＬＡＮ１３を介してメータ制御装置７と多重通信が可能に構成される。また、これらからの出力信号に応じて速度計３と回転計４と発光ダイオード５１ａ、５１ｂの各作動がメータ制御装置７によって制御されるように、速度計３と回転計４と発光ダイオード５１ａ、５１ｂがメータ制御装置７に接続される。
【００２８】
ターン点滅制御装置９は、ターンシグナルスイッチ８の操作によってターンランプ１０ａ、１０ｂを点滅動作させ、ターンランプ１０ａ、１０ｂの点滅動作と連動した点滅信号Ｓｏを車内ＬＡＮ１３を介して多重通信によってメータ表示装置７へ出力する。
【００２９】
点滅信号Ｓｏは、図４に示すように、点滅動作の開始時ｔＳから点滅動作の終了時ｔＬまで、ターンランプ１０ａ、１０ｂの点燈動作を表すＨｉ（ハイ）信号とターンランプ１０ａ、１０ｂの消燈動作を表すＬｏ（ロウ）信号を交互に繰り返す信号である。Ｈｉ信号の時間ｔ１は、ターンランプ１０ａ、１０ｂの点燈動作の時間を表し、Ｌｏ信号の時間ｔ２は、ターンランプ１０ａ、１０ｂの消燈動作の時間を表す。したがって、ターンランプ１０ａ、１０ｂは、時間ｔ１の点燈動作と時間ｔ２の消燈動作を交互に（ｔ１+ｔ２）の一定周期で点滅動作を行う。時間ｔ１と時間ｔ２は、ともに、例えば３４０ミリ秒（ｍｓ）である。
【００３０】
メータ制御装置７は、この点滅信号Ｓｏを点滅信号Ｓｉとして入力する。多重通信では、決められた規格の周期と順序で複数の情報が一つの伝送路によって送信されるため、その送信周期分の送信遅延が数ミリ秒（ｍｓ）〜数10ｍｓで発生する。点滅信号Ｓｏも、車内ＬＡＮ１３を介して多重通信によってターン点滅制御装置９からメータ表示装置７に送信される。このため、点滅信号Ｓｉにおいて、送信周期分の送信遅延ｔＡ，ｔＢが、点滅信号Ｓｏに対して数ｍｓ〜数10ｍｓでばらついて発生し、点滅信号Ｓｉの周期にバラツキが生じる。
【００３１】
メータ制御装置７は、周期にバラツキが生じている点滅信号Ｓｉに基いて、点滅表示の点滅周期のバラツキを抑えるように発光ダイオード５１ａ、５１ｂの点燈（図４において「明」で示す）と消燈（図４において「暗」で示す）を交互に繰り返し、これによって、ターン表示部５の点滅表示（図４において「明」・「暗」で示す）を制御する。
【００３２】
点滅表示の点滅周期のバラツキを抑えるために、点滅表示の開始時ｔＳＡにおける明表示（図４において「明」で示す）の明表示時間を第１明表示時間ｔ１１としてメモリ７１に記憶しておく。また、開始時ｔＳＡ以外の明表示（「明」）の明表示時間ｔ１と暗表示（図４において「暗」で示す）の暗表示時間ｔ２と点滅表示の終了時ｔＬＢを設定するための設定時間ｔ３とをメモリ７１に記憶しておく。
【００３３】
メータ制御装置７は、メモリ７１から入力した第１明表示時間ｔ１１と明表示時間ｔ１と暗表示時間ｔ２と設定時間ｔ３と、点滅信号Ｓｉとに基いてターン表示部５の点滅表示を制御する。即ち、メータ制御装置７は、第１明表示時間ｔ１１の明表示を点滅表示の開始時ｔＳＡに行うように、且つ、明表示時間ｔ１の明表示と暗表示時間ｔ２の暗表示を交互に行うように、且つ、設定時間ｔ３の間（図４において点滅信号Ｓｉの終了時ｔＬＡから点滅表示の終了時ｔＬＢの間）で点滅信号Ｓｉが入力されない際（ｔＬＢ）に点滅表示を停止させるように、発光ダイオード５１ａ、５１ｂの点燈・消燈を制御し、これによって、ターン表示部５の点滅表示を制御する。
【００３４】
メモリ７１は、第１明表示時間ｔ１１と明表示時間ｔ１と暗表示時間ｔ２と設定時間ｔ３とを書き換え可能に構成され、コンビネーションメータ１を当該自動車に組み付け後、コンビネーションメータ１毎に、工場やディーラで第１明表示時間ｔ１１と明表示時間ｔ１と暗表示時間ｔ２と設定時間ｔ３をメモリ７１に記憶しておく。
【００３５】
具体的に、点滅表示において開始時ｔＳＡ以外の明表示の明表示時間を、点滅信号ＳｏにおいてＨｉ信号の時間ｔ１に合わせて、メモリ７１に記憶しておく。これにより、コンビネーションメータ１において、ターン表示部５の点滅表示の明表示時間ｔ１を、ターンランプ１０ａ、１０ｂの点燈動作の時間（点滅信号ＳｏのＨｉ信号の時間ｔ１に対応する）に合わせることができる。
【００３６】
また、点滅表示において暗表示時間を、点滅信号ＳｏにおいてＬｏ信号の時間ｔ２を合わせ、メモリ７１に記憶しておく。これにより、コンビネーションメータ１において、ターン表示部５の点滅表示の暗表示時間ｔ２を、ターンランプ１０ａ、１０ｂの消燈動作の時間（点滅信号ＳｏのＬｏ信号の時間ｔ２に対応する）に合わせることができる。
【００３７】
また、点滅表示の開始時を、点滅信号Ｓｉの開始時ｔＳＡに合わせ、点滅表示において第１明表示時間ｔ１１を、点滅表示のタイミングを点滅信号Ｓｏのタイミングに合わせるように、即ち、点滅表示のタイミングと点滅信号Ｓｏのタイミングのずれ時間ｔＣを極力小さくするように設定して、メモリ７１に記憶しておく。これにより、コンビネーションメータ１において、ターン表示部５の点滅表示のタイミングを、ターンランプ１０ａ、１０ｂの点滅動作（点滅信号Ｓｏに対応する）のタイミングに合わせることができる。
【００３８】
また、点滅表示において設定時間ｔ３を、点滅信号Ｓｉの終了時ｔＬＡから、点滅信号Ｓｉにおいて送信遅延ｔＡ，ｔＢによるバラツキ分を加味してＬｏ信号の時間ｔ４より長い時間で設定し、メモリ７１に記憶しておく。これにより、コンビネーションメータ１において、ターンランプ１０ａ、１０ｂの点滅動作の終了前にターン表示部５の点滅表示が終了することを防止できる。
【００３９】
したがって、メータ制御装置７は、点滅信号Ｓｉに基いて、点滅表示の開始時を点滅信号Ｓｉの開始時ｔＳＡに合わせ、メモリ７１から入力した第１明表示時間ｔ１１と明表示時間ｔ１と暗表示時間ｔ２と設定時間ｔ３とに基いて、ターン表示部５の点滅表示を制御する。これにより、コンビネーションメータ１において、ターン表示部５の点滅表示の点滅周期のバラツキを抑えることができるとともに、ターンランプ１０ａ、１０ｂの点滅動作とターン表示部５の点滅表示のずれを抑えることができる。
【００４０】
以上本実施形態による表示装置であるコンビネーションメータ１は、一定周期で繰り返す第1光源であるターンランプ１０ａ、１０ｂの点滅動作を、明表示と暗表示とを交互に繰り返す点滅表示によって表示可能な表示手段であるターン表示部５と、明表示の明表示時間ｔ１を記憶するとともに、明表示時間ｔ１を書き換え可能に構成されている記憶手段であるメモリ７１と、メモリ７１から入力した明表示時間ｔ１の明表示を行うように、点滅表示を制御する制御手段であるメータ制御装置７とを備える。
【００４１】
これにより、一定周期で繰り返す光源の点滅動作を点滅表示によって表示する表示装置において、点滅表示の点滅周期のバラツキを抑えることができる。
【００４２】
（変形例）
上述の例では、メータ制御装置７は、メモリ７１から入力した第１明表示時間ｔ１１と明表示時間ｔ１と暗表示時間ｔ２と設定時間ｔ３と、点滅信号Ｓｉとに基いてターン表示部５の点滅表示を制御したが、これに限らない。例えば、点滅信号Ｓｉの代わりにターンシグナルスイッチ８の操作信号を利用することも可能である。
【００４３】
また、上述の例では、点滅表示の点滅周期のバラツキを抑えるために、第１明表示時間ｔ１１と明表示時間ｔ１と暗表示時間ｔ２と設定時間ｔ３とをメモリ７１に記憶しておき、メータ制御装置７は、メモリ７１から入力したこれらのデータと点滅信号Ｓｉとに基いて、ターン表示部５の点滅表示を制御したが、これに限らない。図５に示すように、明表示時間ｔ１のみメモリ７１に記憶しておき、メータ制御装置７は、メモリ７１から入力した明表示時間ｔ１と点滅信号Ｓｉとに基いて、ターン表示部５の点滅表示を制御することも可能である。
【００４４】
具体的に、メータ制御装置７は、点滅信号Ｓｉに基いて、点滅表示の各明表示の立ち上がり時間を、点滅信号Ｓｉの各Ｈｉ信号の立ち上がり時間ｔＳＡ１，ｔＳＡ２・・・ｔＳＡｎに合わせ、メモリ７１から入力した明表示時間ｔ１の明表示を行うように、点滅表示を制御する。
【００４５】
これにより、コンビネーションメータ１において、ターン表示部５の点滅表示の明表示時間ｔ１を、ターンランプ１０ａ、１０ｂの点燈動作の時間（点滅信号ＳｏのＨｉ信号の時間ｔ１に対応する）に合わせることができる。したがって、コンビネーションメータ１において、ターン表示部５の点滅表示の点滅周期のバラツキを抑えることができる。
【００４６】
また、上述の例では、点滅信号Ｓｏが多重通信を介してメータ制御装置７に送信されたが、これに限らない。図６に示すように、点滅信号Ｓｏがワイヤハーネス１５を介して直接メータ制御装置７に入力される場合であって、表示手段である液晶パネル１４によって点滅表示を行う場合に、本発明を適用することが可能である。液晶パネル１４は、マトリックス状に複数の画素が形成され、ターン表示部５の点滅表示を、液晶パネル１４の表示画像として行う。液晶パネル１４は、１秒間に６０フレームの画像を切り替えて点滅表示するため、この画像切替タイミング分の表示遅延（図７において時間ｔＤに対応する）が、液晶パネル１４による点滅表示の点滅周期のバラツキとなる。
【００４７】
本変形例では、液晶パネル１４による点滅表示の点滅周期のバラツキを抑えるために、点滅表示の開始時ｔＳＣにおける明表示（図７において「明」で示す）の明表示時間を第１明表示時間ｔ１２としてメモリ７１に記憶しておく。また、開始時ｔＳＣ以外の明表示（「明」）の明表示時間ｔ１と、暗表示（図７において「暗」で示す）の暗表示時間ｔ２と、点滅表示の終了時ｔＬＣを設定するための設定時間ｔ５とをメモリ７１に記憶しておく。
【００４８】
図４と図５に示した送信遅延ｔＡ，ｔＢが原理的にないため、メータ制御装置７は、メモリ７１から入力したこれらのデータと点滅信号Ｓｏとに基いて、液晶パネル１４による点滅表示を制御する。即ち、メータ制御装置７は、第１明表示時間ｔ１２の明表示を点滅表示の開始時ｔＳＣに行うように、且つ、明表示時間ｔ１の明表示と暗表示時間ｔ２の暗表示を交互に行うように、且つ、設定時間ｔ５の間（図７において点滅信号Ｓｏの終了時ｔＬから点滅表示の終了時ｔＬＣの間）で点滅信号Ｓｏが入力されない際に点滅表示を停止させるように、液晶パネル１４による点滅表示を制御する。
【００４９】
具体的に、点滅表示において開始時ｔＳＣ以外の明表示の明表示時間を、点滅信号ＳｏにおいてＨｉ信号の時間ｔ１に合わせて、メモリ７１に記憶しておく。これにより、コンビネーションメータ１において、液晶パネル１４による点滅表示の明表示時間ｔ１を、ターンランプ１０ａ、１０ｂの点燈動作の時間（点滅信号ＳｏのＨｉ信号の時間ｔ１に対応する）に合わせることができる。
【００５０】
また、点滅表示において暗表示時間を、点滅信号ＳｏにおいてＬｏ信号の時間ｔ２を合わせ、メモリ７１に記憶しておく。これにより、コンビネーションメータ１において、液晶パネル１４による点滅表示の暗表示時間ｔ２を、ターンランプ１０ａ、１０ｂの消燈動作の時間（点滅信号ＳｏのＬｏ信号の時間ｔ２に対応する）に合わせることができる。
【００５１】
また、点滅表示の開始時を、点滅信号Ｓｏの開始時ｔＳに対してｔＤの時間遅延させ、点滅表示において第１明表示時間ｔ１２を、点滅表示のタイミングを点滅信号Ｓｏのタイミングに合わせるように、即ち、点滅表示のタイミングと点滅信号Ｓｏのタイミングのずれ時間ｔＣを極力小さくするように設定して、メモリ７１に記憶しておく。これにより、コンビネーションメータ１において、液晶パネル１４による点滅表示のタイミングを、ターンランプ１０ａ、１０ｂの点滅動作のタイミングに合わせることができる。
【００５２】
また、点滅表示において設定時間ｔ５を、点滅信号Ｓｏの終了時ｔＬから、画像切替タイミング分の表示遅延ｔＤによるバラツキ分を加味してＬｏ信号の時間ｔ２より長い時間で設定し、メモリ７１に記憶しておく。これにより、コンビネーションメータ１において、ターンランプ１０ａ、１０ｂの点滅動作の終了前に液晶パネル１４による点滅表示が終了することを防止できる。
【００５３】
したがって、メータ制御装置７は、点滅信号Ｓｏに基いて、点滅表示の開始時を点滅信号Ｓｏの開始時ｔＳに対してｔＤの時間遅延させ、メモリ７１から入力した第１明表示時間ｔ１２と明表示時間ｔ１と暗表示時間ｔ２と設定時間ｔ５とに基いて、液晶パネル１４による点滅表示を制御する。これにより、コンビネーションメータ１において、液晶パネル１４による点滅表示の点滅周期のバラツキを抑えることができるとともに、ターンランプ１０ａ、１０ｂの点滅動作と液晶パネル１４による点滅表示のずれを抑えることができる。
【００５４】
また、上述した例に限らないで、これらの組み合わせや、他の種々の変形例が考えられる。
【図面の簡単な説明】
【００５５】
【図１】図１は、本発明の一実施形態による表示装置であるコンビネーションメータ１の正面図である。
【図２】図２は、図１中のＩＩ−ＩＩ線断面図である。
【図３】図３は、図１に示すコンビネーションメータ１の回路構成図である。
【図４】図４は、図１中のターン表示部５の点滅表示を示すタイムチャートである。
【図５】図５は、図４の変形例示すタイムチャートである。
【図６】図６は、図３の変形例示す回路構成図である。
【図７】図７は、図６に示す変形例による点滅表示を示すタイムチャートである。
【符号の説明】
【００５６】
１  コンビネーションメータ（表示装置）、２  表示板、２０  透光性樹脂板
２１  遮光層、２２ａ、２２ｂ  開口、３  速度計、４  回転計
５  ターン表示部（表示手段）、５ａ  左ターン表示部、５ｂ  右ターン表示部
５０ａ、５０ｂ  点滅表示部、５１ａ、５１ｂ  発光ダイオード（第２光源）
５２  ケース、６  プリント基板、７  メータ制御装置（制御手段）
７１  メモリ（記憶手段）、８  ターンシグナルスイッチ、９  ターン点滅制御装置
１０ａ、１０ｂ  ターンランプ（第１光源）、１１  速度センサ、１２  回転センサ
１３  車内ＬＡＮ、１４  液晶パネル（表示手段）、１５  ワイヤハーネス
【図１】
2008292949.tif 000003
【図２】
2008292949.tif 000004
【図３】
2008292949.tif 000005
【図４】
2008292949.tif 000006
【図５】
2008292949.tif 000007
【図６】
2008292949.tif 000008
【図７】
2008292949.tif 000009